(57)【要約】【課題】  本発明は、プロセスカートリッジが画像形成装置本体内にあるときは開閉扉を閉口位置に保持して画像形成装置本体内部への遮光を行い、プロセスカートリッジを取り出すときには開閉扉を開口位置に保持することが出来るプロセスカートリッジを提供する。【解決手段】  第一位置と第二位置とに切替え可能な作用部50を有し、プロセスカートリッジＢを画像形成装置Ａ本体に装着する際に、該プロセスカートリッジＢの作用部50が第一位置で画像形成装置Ａ本体に設けられる上下扉30，31の開閉動作を切り替える切替ギア60ｂの被作用部61に当接して該被作用部61を移動することで、上下扉30，31を開口位置から閉口位置に移動し、プロセスカートリッジＢを画像形成装置Ａ本体から脱離する際に、該プロセスカートリッジＢの作用部50が被作用部61に当接しながら第一位置から該被作用部61を移動させることなく第二位置へ退避し、上下扉30，31を開口位置に保持する。【選択図】      図６
2014106501.tif 000002
【特許請求の範囲】
【請求項１】
画像形成装置本体に着脱可能なプロセスカートリッジであって、
前記プロセスカートリッジは、
第一位置と第二位置とに切替え可能な作用部を有し、
前記プロセスカートリッジを前記画像形成装置本体に装着する際に、前記プロセスカートリッジの前記作用部が前記第一位置で前記画像形成装置本体に設けられる開閉扉の開閉動作を切り替える切替手段の被作用部に当接して該被作用部を移動することで、前記開閉扉を開口位置から閉口位置に移動し、
前記プロセスカートリッジを前記画像形成装置本体から脱離する際に、前記プロセスカートリッジの前記作用部が前記被作用部に当接しながら前記第一位置から該被作用部を移動させることなく前記第二位置へ退避し、前記開閉扉を開口位置に保持することを特徴とするプロセスカートリッジ。
【請求項２】
請求項１に記載のプロセスカートリッジを着脱可能な画像形成装置であって、
前記プロセスカートリッジを着脱するための開閉扉と、
前記開閉扉の開閉動作を切り替える切替手段と、
前記切替手段に設けられる被作用部と、
を有し、
前記プロセスカートリッジが前記画像形成装置本体に装着される際に、前記プロセスカートリッジの前記作用部が前記第一位置で前記被作用部に当接して該被作用部を移動することで、前記開閉扉を開口位置から閉口位置に移動し、
前記プロセスカートリッジを前記画像形成装置本体から脱離する際に、前記プロセスカートリッジの前記作用部が前記被作用部に当接しながら前記第一位置から該被作用部を移動させることなく前記第二位置へ退避し、前記開閉扉を開口位置に保持することを特徴とする画像形成装置。
【発明の詳細な説明】
【技術分野】
【０００１】
本発明は、画像形成装置に着脱可能なプロセスカートリッジに関するものである。
【背景技術】
【０００２】
従来、特許文献１に示すように、現像カートリッジを画像形成装置本体に装着する開口を塞ぐ扉を画像形成装置本体の内側へ開く構成としたものがある。このような画像形成装置では、現像カートリッジの装着時のみ扉が内側に開く。扉が外側に開く画像形成装置と比較して本体内部を大きく露出することがない。このため、画像形成装置本体内部に入る光が少ない。
【先行技術文献】
【特許文献】
【０００３】
【特許文献１】米国特許第６７３１８９４号明細書
【発明の概要】
【発明が解決しようとする課題】
【０００４】
しかしながら、特許文献１では、現像カートリッジを取り出したときに画像形成装置本体の扉が閉口位置にあり、画像形成装置本体の内部が見えない状態である。画像形成装置本体の内部を確認したいときは、ユーザは扉を内側に押し開け、更にその状態を保持しつづける必要がある。
【０００５】
つまり、ジャム処理等でユーザが画像形成装置本体の内部にアクセスしたい場合において、ユーザは片手で扉を開く状態に保持し続け、もう片方の手でジャム処理等の作業を行う必要がありジャム処理作業が行い難いという問題がある。
【０００６】
本発明は前記課題を解決するものであり、その目的とするところは、プロセスカートリッジが画像形成装置本体内にあるときは開閉扉を閉口位置に保持して画像形成装置本体内部への遮光を行う。プロセスカートリッジを取り出すときには開閉扉を開口位置に保持することが出来るプロセスカートリッジを提供する。
【課題を解決するための手段】
【０００７】
前記目的を達成するための本発明に係るプロセスカートリッジの代表的な構成は、画像形成装置本体に着脱可能なプロセスカートリッジであって、前記プロセスカートリッジは、第一位置と第二位置とに切替え可能な作用部を有し、前記プロセスカートリッジを前記画像形成装置本体に装着する際に、前記プロセスカートリッジの前記作用部が前記第一位置で前記画像形成装置本体に設けられる開閉扉の開閉動作を切り替える切替手段の被作用部に当接して該被作用部を移動することで、前記開閉扉を開口位置から閉口位置に移動し、前記プロセスカートリッジを前記画像形成装置本体から脱離する際に、前記プロセスカートリッジの前記作用部が前記被作用部に当接しながら前記第一位置から該被作用部を移動させることなく前記第二位置へ退避し、前記開閉扉を開口位置に保持することを特徴とする。
【発明の効果】
【０００８】
上記構成によれば、プロセスカートリッジを画像形成装置本体内に装着する際には、該プロセスカートリッジの装着操作で画像形成装置本体に設けられた開閉扉が閉口位置に保持されて画像形成装置本体内を遮光する。
【０００９】
また、プロセスカートリッジを画像形成装置本体から脱離する際には、画像形成装置本体に設けられた開閉扉が開口位置に保持される。このため、画像形成装置本体内部が見える状態となり、ジャム処理等でユーザが画像形成装置本体の内部にアクセスしたい場合の操作性を向上することが出来る。
【図面の簡単な説明】
【００１０】
【図１】本発明に係るプロセスカートリッジを装着した画像形成装置の構成を示す断面説明図である。
【図２】本発明に係るプロセスカートリッジの構成を示す断面説明図である。
【図３】本発明に係るプロセスカートリッジを構成する感光体ユニットと現像ユニットとを説明する分解斜視図である。
【図４】プロセスカートリッジに設けられ、第一位置と第二位置とに切替え可能な作用部の構成を示す分解斜視図である。
【図５】（ａ）はプロセスカートリッジに設けられた作用部が第一位置にある状態を示す斜視説明図、（ｂ）はプロセスカートリッジに設けられた作用部が第二位置へ退避する様子を示す斜視説明図である。
【図６】（ａ）はプロセスカートリッジを画像形成装置本体に装着する際に、プロセスカートリッジに設けられた作用部が切替手段の被作用部に当接して該被作用部を移動する様子を示す平面説明図である。（ｂ）はプロセスカートリッジを画像形成装置本体から脱離する際に、プロセスカートリッジに設けられた作用部が切替手段の被作用部に当接しながら第一位置から該被作用部を移動させることなく第二位置へ退避する様子を示す平面説明図である。
【図７】上扉と下扉との開閉動作を連動させるギア列の構成を示す斜視説明図である。
【図８】プロセスカートリッジを画像形成装置本体に装着するガイド部の構成を示す斜視説明図である。
【図９】プロセスカートリッジを画像形成装置本体に装着するガイド部の構成を示す斜視説明図である。
【図１０】開閉扉の開閉動作を切り替える切替手段の構成を示す斜視説明図である。
【図１１】開閉扉の開閉動作を切り替える切替手段の構成を示す斜視説明図である。
【図１２】プロセスカートリッジを画像形成装置本体に装着する際に、プロセスカートリッジに設けられた作用部が切替手段の被作用部に当接して該被作用部を移動することで、開閉扉を開口位置から閉口位置に移動する様子を示す側面説明図である。
【図１３】プロセスカートリッジを画像形成装置本体から脱離する際に開閉扉を開口位置に保持する様子を示す平面説明図である。
【発明を実施するための形態】
【００１１】
図により本発明に係るプロセスカートリッジを備えた画像形成装置の一実施形態を具体的に説明する。
【００１２】
以下の説明において、プロセスカートリッジＢの一例として、少なくとも像担持体となる感光ドラム７を有するプロセスカートリッジＢを示す。本実施形態のプロセスカートリッジＢは像担持体となる感光ドラム７を有する。更に、少なくとも帯電手段となる帯電ローラ８、現像手段となる現像ローラ21を一体的にカートリッジ化したものである。このプロセスカートリッジＢを画像形成装置Ａ本体（画像形成装置本体）に対して着脱可能に構成したものである。
【００１３】
本実施形態の画像形成装置Ａは、電子写真画像形成プロセスを用いて記録材Ｐに画像を形成するものである。例えば、電子写真複写機、ＬＥＤ（Light Emitting Diode；発光ダイオード）プリンタ、レーザービームプリンタ等の電子写真プリンタ、電子写真ファクシミリ装置、或いは、電子写真ワードプロセッサ等に適用可能である。
【００１４】
ここで、画像形成装置Ａ本体とは、プロセスカートリッジＢを除く画像形成装置Ａをいう。
【００１５】
先ず、図１及び図２を用いてプロセスカートリッジＢ及び該プロセスカートリッジＢを着脱可能な画像形成装置Ａについて説明する。
【００１６】
図１はプロセスカートリッジＢを装着した画像形成装置Ａの構成を示す断面説明図である。図２はプロセスカートリッジＢの構成を示す断面説明図である。
【００１７】
＜画像形成装置の全体構成＞
図１に示すように、画像形成装置Ａは、帯電手段となる帯電ローラ８により表面が一様に帯電された像担持体となる感光ドラム７の表面に露光手段としての露光装置１から画像情報に基づいたレーザ光Ｌが照射される。
【００１８】
これにより、感光ドラム７には静電潜像が形成され、この静電潜像に対して現像手段となる現像ローラ21により現像剤となるトナーＴを供給して現像し、トナー像を形成する。
【００１９】
そして、トナー像の形成と同期して、給送カセット３ａに収容された記録材Ｐをピックアップローラ３ｂ及びこれに圧接する圧接部材３ｃによって一枚ずつ分離給送する。
【００２０】
その後、記録材Ｐは搬送ガイド３ｆに沿って搬送され、感光ドラム７と、転写手段となる転写ローラ４とにより形成されたニップ部に搬送される。そして、転写ローラ４に転写電圧を印加することによって、プロセスカートリッジＢの感光ドラム７に形成されたトナー像が記録材Ｐに転写される。
【００２１】
トナー像が転写された記録材Ｐは搬送ガイド３ｇに沿って定着手段となる定着装置５へ搬送される。定着装置５は、駆動ローラ５ａと、ヒータ５ｂを内蔵すると共に支持体５ｃによって回転可能に支持された筒状シートで構成された定着回転体５ｄとを有して構成される。
【００２２】
駆動ローラ５ａと定着回転体５ｄとのニップ部を通過する記録材Ｐに熱及び圧力を印加して記録材Ｐに転写したトナー像を定着する。トナー像を定着した記録材Ｐは排出ローラ３ｄにより排出部６へ排出される。
【００２３】
＜プロセスカートリッジの全体構成＞
プロセスカートリッジＢは、感光層からなる電子写真感光体を有する感光ドラム７と、少なくとも一つのプロセス手段を備えたものである。
【００２４】
プロセス手段としては、例えば、感光ドラム７を帯電させる帯電手段となる帯電ローラ８、感光ドラム７に形成された静電潜像を現像する現像手段となる現像ローラ21がある。更に、感光ドラム７の表面に残留したトナーＴをクリーニングするためのクリーニング手段となるクリーニングブレード11等がある。
【００２５】
本実施形態例のプロセスカートリッジＢは、図２に示すように、感光ドラム７を回転可能に支持する感光体ユニット10と、現像ローラ21を回転可能に支持する現像ユニット20とを有して構成される。
【００２６】
感光体ユニット10は、少なくとも感光ドラム７と、帯電ローラ８と、クリーニングブレード11とを備える。現像ユニット20は、少なくとも現像ローラ21と、現像ブレード22とを備える。
【００２７】
プロセスカートリッジＢの画像形成プロセスにおいては、感光ドラム７を回転駆動し、帯電ローラ８に電圧を印加して感光ドラム７の表面を一様に帯電する。この帯電した状態の感光ドラム７の表面に対して、露光装置１からの画像情報に基づいたレーザ光Ｌ（光像）が露光開口９ｂを通して露光される。これにより、感光ドラム７の表面に静電潜像を形成し、該静電潜像に対して現像ローラ21によりトナーＴを供給して現像する。現像ブレード22は現像ローラ21の表面に付着したトナーＴの層厚を規制する。
【００２８】
現像ユニット20は枠体となる現像フレーム23を有し、トナー収容部24内のトナーＴをトナー送り手段となる回転可能な撹拌部材25により現像ローラ21側に送り出す。
【００２９】
固定の磁石部材26を内側に配置した現像ローラ21は、現像フレーム23に回転自在に支持される。現像ローラ21の表面には現像ブレード22によって摩擦帯電電荷を付与したトナーＴ層が形成され、そのトナーＴを感光ドラム７の表面に形成された静電潜像に応じて該感光ドラム７に転移させる。これによって、感光ドラム７の表面にトナー像を形成して可視像化する。
【００３０】
感光ドラム７の表面に形成されたトナー像が記録材Ｐに転写された後は、感光ドラム７の表面に残留したトナーＴは感光体ユニット10に設けられたクリーニングブレード11によって掻き落とされる。クリーニングブレード11によって掻き落とされた残留トナーＴは除去トナー収納部13内に収容される。その際に、掬（すく）いシート12によって除去トナー収納部13外へのトナーＴの漏出を防いでいる。
【００３１】
感光体ユニット10は、枠体となる感光体フレーム14を有し、感光ドラム７、帯電ローラ８、クリーニングブレード11は感光体フレーム14により支持されている。
【００３２】
＜現像ユニットと感光体ユニットとの合体構成＞
図３は、現像ユニット20と感光体ユニット10とを示す分解斜視図である。図３に示すように、現像ユニット20の長手方向（図３の左右方向）の両端部には、現像ユニット20から感光体ユニット10の方向に伸びる一対の吊腕部23ａ，23ｂが設けられている。
【００３３】
吊腕部23ａ，23ｂのそれぞれの先端側には、現像ユニット20を感光体ユニット10に対して回動自在に支持するための一対の支持軸23ｃ，23ｄが設けられている。
【００３４】
感光体ユニット10を構成する感光体フレーム14及び支持部材15には、支持軸23ｃを支持するための軸受部15ａと、支持軸23ｄを支持するための軸受部14ａが設けられている。支持部材15は、感光体フレーム14に取付けられており、ドラム軸受部15ｂにおいて感光ドラム７を回転自在に支持するよう構成される。
【００３５】
現像ユニット20は、支持軸23ｃ，23ｄを中心に回動可能に感光体フレーム14に支持され、付勢バネ27により現像ローラ21を感光ドラム７への作用位置に位置決めする。
【００３６】
＜作用部の構成＞
図４は、プロセスカートリッジＢに設けられ、図５（ａ）に示す第一位置と、図５（ｂ）に示す第二位置とに切替え可能な作用部50の構成を示す分解斜視図である。図５は、作用部50が図５（ａ）に示す第一位置から図５（ｂ）に示す第二位置に切り替わる動作を説明する斜視図である。
【００３７】
プロセスカートリッジＢの長手方向（図４の左右方向）の一端部に設けられた軸受部２に軸部16の一端部が回動自在に嵌入され、該軸部16に作用部50が固定されている。該軸部16の他端部側には捩じりコイルバネ17が嵌装され、作用部50のフランジ部50ａに摺動自在に当接される。
【００３８】
該捩じりコイルバネ17の一端部は、図５（ａ）に示すように、作用部50の当接面50ｃの一端に係止され、該捩じりコイルバネ17の他端部は、図５（ｂ）に示すように、プロセスカートリッジＢの長手方向の一端部に設けられた係止部18に係止される。捩じりコイルバネ17の軸方向他端側は貫通穴19ａが軸部16に嵌合されて固定される係止板19により摺動自在に係止される。
【００３９】
作用部50の当接面50ｃの裏面側には当接部50ｂとテーパ部50ｄが設けられており、捩じりコイルバネ17の付勢力により作用部50は軸部16を中心に図５（ａ）の矢印Ｄ方向に回動して作用部50の当接部50ｂが係止部18に当接して係止される。これにより、作用部50は、常時、図５（ａ）に示すように、プロセスカートリッジＢの長手方向（図５（ａ）の右方向）に突出する第一位置の姿勢で保持されている。
【００４０】
図６に示すように、プロセスカートリッジＢに設けられた作用部50に対応する位置には、被作用部61が側面に立設された切替ギア60ｂが配置されている。切替ギア60ｂはプロセスカートリッジＢを着脱するための開閉扉となる上扉30と下扉31との開閉動作を切り替える切替手段を構成する。
【００４１】
これにより、図６（ａ）に示すように、プロセスカートリッジＢを画像形成装置Ａ本体に装着する。その際には、該プロセスカートリッジＢの作用部50が図６（ａ）に示す第一位置で被作用部61に当接して該被作用部61を図６（ａ）の矢印Ｓ方向に移動する。
【００４２】
これにより、切替ギア60ｂは被作用部61と一体的に回転軸60b1を中心に図12（ｂ）の矢印Ｈ方向に回転する。すると、切替ギア60ｂに噛合する切替ギア60ａが図12（ｂ）の矢印Ｊ方向に回転する。
【００４３】
そして、詳しくは後述するが、上扉30の開閉動作を切り替える引張バネ60ｃの引っ張り方向を切替ギア60ａの回転角度位置によって変更することで、上扉30を図12（ａ）に示す開口位置から図12（ｃ）に示す閉口位置に移動する。
【００４４】
更に該プロセスカートリッジＢが図６（ａ）の矢印Ｓ方向に移動すると、図12（ｃ）に示すように、作用部50が被作用部61から離れる。
【００４５】
一方、プロセスカートリッジＢを画像形成装置Ａ本体から脱離する。その際には、図６（ｂ）に示すように、プロセスカートリッジＢの作用部50のテーパ部50ｄが切替ギア60ｂの側面に立設された被作用部61に当接摺動する。そして、捩じりコイルバネ17の付勢力に抗して該被作用部61を移動させることなく軸部16を中心に図６（ｂ）の矢印Ｎ方向に回動して図５（ｂ）に示す第二位置へ退避する。
【００４６】
図５（ａ）に示すように、プロセスカートリッジＢの長手方向（図５（ａ）の右方向）に突出する第一位置から被作用部61を移動させることなく図５（ｂ）に示す第二位置へ退避する。
【００４７】
これにより、図13（ｂ）に示すように、開閉扉となる上扉30と下扉31とを開口位置に保持する。
【００４８】
更に該プロセスカートリッジＢが図13（ｂ）の矢印Ｋ方向に移動する。すると、作用部50が被作用部61から離れる。そして、作用部50は、捩じりコイルバネ17の付勢力により図５（ａ）に示すように、プロセスカートリッジＢの長手方向（図５（ａ）の右方向）に突出する第一位置の姿勢に復帰する。
【００４９】
＜開閉扉の駆動構成＞
図７は画像形成装置Ａ本体の開閉扉の構成を示すための斜視説明図である。また、図８及び図９は画像形成装置Ａ本体の開閉扉の回転止め部の構成を示すために開閉扉を省略した状態を示す斜視説明図である。
【００５０】
図７に示すように、画像形成装置Ａ本体にはプロセスカートリッジＢを着脱するための開閉口28が設けられている。この開閉口28の両側の左右側板33，35には、画像形成装置Ａ本体の内側へ向かって開閉可能で上下に分かれた開閉扉となる上扉30と下扉31とが回動軸30ａ，31ａを中心に回動可能に設けられている。
【００５１】
上扉30と下扉31とは、図12（ａ）に示すように、画像形成装置Ａ本体の内側に開き（開口位置）、図12（ｃ）に示すように、画像形成装置Ａ本体の外側に閉じる（閉口位置）。
【００５２】
上扉30の開閉動作に連動して図７に示す扉連動ギア列32を介して下扉31が開閉する。
【００５３】
上扉30と下扉31との長手方向（図７の左右方向）の一端部である右側端部に扉連動ギア列32を構成する扉連動ギア32ａ，32ｂが設けられている。更に、扉連動ギア32ａ，32ｂにそれぞれ噛合されたアイドラギア32ｃ，32ｅ、該アイドラギア32ｃ，32ｅの間に噛合されたアイドラギア32ｄが設けられている。これらの扉連動ギア列32は画像形成装置Ａ本体内の右側板33に回転可能に設けられている。
【００５４】
図７に示すように、下扉31の外側面にはプロセスカートリッジＢの現像フレーム23の外周面に設けられた被ガイド部23ｇに係合して該プロセスカートリッジＢをガイドするためのガイド部31ｂが設けられている。
【００５５】
また、下扉31にはプロセスカートリッジＢが画像形成装置Ａ本体に装着された状態で、該プロセスカートリッジＢの把持部34の回動動作に干渉しないように該把持部34が挿通される切欠部31ｃが設けられている。
【００５６】
また、上扉30及び下扉31の外側面には、プロセスカートリッジＢを画像形成装置Ａ本体に装着するときに該プロセスカートリッジＢの外周面とそれぞれ当接する当接部30ｈ，31ｈが設けられている。
【００５７】
図８及び図９に示すように、上扉30及び下扉31の閉方向の回転止めとして、回転止め部33ａ，33ｂ，35ａ，35ｂが画像形成装置Ａ本体の右側板33及び左側板35に設けられている。
【００５８】
また、上扉30及び下扉31の開方向の回転止めとして、回転止め部33ｃ，33ｄ，35ｃ，35ｄが右側板33及び左側板35にそれぞれ設けられている。
【００５９】
＜プロセスカートリッジ装着時のガイド構成＞
図７に示すように、プロセスカートリッジＢを画像形成装置Ａ本体に装着する際の挿入ガイドが設けられている。挿入ガイドは、プロセスカートリッジＢの現像フレーム23の下面に画像形成装置Ａ本体の下扉31の外側面に設けられたガイド部31ｂに係合し得る被ガイド部23ｇが設けられている。
【００６０】
また、図８及び図９に示すように、プロセスカートリッジＢを画像形成装置Ａ本体の画像形成位置に装着する際の装着ガイドとして、画像形成装置Ａ本体の左側板35及び右側板33には、それぞれ凹形状のガイド部35ｅ，33ｆ，33ｇが設けられている。一方、プロセスカートリッジＢの左右の側面には凸形状の被ガイド部47，15ｄ，14ｅが設けられている。
【００６１】
＜切替機構＞
図10は開閉扉となる上扉30の開閉動作を切り替える切替手段を構成する切替ギア60ａ，60ｂ、付勢手段となる引張バネ60ｃ等の構成を示す斜視説明図である。図11は切替手段を構成する切替ギア60ｂに係合する被作用部61の構成を示す斜視説明図である。
【００６２】
図10に示すように、上扉30の長手方向（図10の左右方向）の一端側の左側板35には開閉扉となる上扉30の開閉動作を切り替える切替手段となる切替機構60が設けられている。
【００６３】
切替機構60は、上扉30の回動軸30ａの一端側に一体的に固定され、該回動軸30ａを介して上扉30と一体的に回動する切替ギア60ａを有する。更に、切替ギア60ａと噛合すると共に、プロセスカートリッジＢの装着操作により作用部50に押圧されて移動する被作用部61に連動して回転する切替ギア60ｂを有する。更に、トグル機構により切替ギア60ａの回転方向を切り替える付勢手段となる引張バネ60ｃを有する。
【００６４】
図９、図10及び図11に示すように、切替ギア60ｂの画像形成装置Ａ本体内側の側面には被作用部61が設けられている。被作用部61は左側板35を貫通して形成された回転軸60b1を中心とする円弧形状のガイド溝35ｇ内に摺動自在に挿通されて画像形成装置Ａ本体の内部側に突出している。
【００６５】
プロセスカートリッジＢの装着操作により被作用部61が作用部50に押圧されてガイド溝35ｇに沿って移動する。これにより切替ギア60ｂが回転軸60b1を中心に回転し、該切替ギア60ｂに噛合された切替ギア60ａが回動軸30ａを中心に回転する。これに伴い、上扉30が回動軸30ａを中心に一体的に回動する。
【００６６】
上扉30の長手方向（図11の左右方向）の一端部には該上扉30と一体的に回動軸30ａを中心に回動可能に設けられた支持部材30ｂが設けられている。支持部材30ｂには左側板35を貫通して形成された円弧形状の図示しないガイド溝内に摺動自在に挿通されて左側板35の外側に突出したバネ掛け部30ｃが設けられている。
【００６７】
引張バネ60ｃの一端部は上扉30の一端部に設けられた支持部材30ｂと一体的に回動軸30ａを中心に回動可能なバネ掛け部30ｃに係止される。また、引張バネ60ｃの他端部は画像形成装置Ａ本体の左側板35に固定されたバネ掛け部70に係止されている。
【００６８】
プロセスカートリッジＢの装着操作により作用部50に押圧されて被作用部61がガイド溝35ｇに沿って移動する。これにより被作用部61が固定された切替ギア60ｂが回転し、該切替ギア60ｂに噛合する切替ギア60ａが回転する。切替ギア60ａと一体的に回転する回動軸30ａに固定された支持部材30ｂが一体的に回動し、支持部材30ｂに固定されたバネ掛け部30ｃが切替ギア60ａと一体的に回動軸30ａを中心に回動する。
【００６９】
これにより、切替ギア60ａの回転角度位置に応じて引張バネ60ｃの引っ張り力が作用する方向が切り替わり、上扉30が図12（ａ）に示す開口位置と、図12（ｃ）に示す閉口位置との何れか一方に付勢される。
【００７０】
上扉30の回動による駆動力が図７に示す扉連動ギア32ａ、アイドラギア32ｃ，32ｄ，32ｅ、扉連動ギア32ｂを介して下扉31に伝わる。そして、下扉31も上扉30に連動して回動する。
【００７１】
＜プロセスカートリッジの着脱操作による開閉扉の動作＞
次に、図６、図12、図13を用いて画像形成装置Ａ本体に対してユーザがプロセスカートリッジＢを着脱する操作に連動して開閉扉が開閉する動作について説明する。
【００７２】
図６はプロセスカートリッジＢを着脱する操作に連動して該プロセスカートリッジＢに設けられた作用部50と、切替機構60の切替ギア60ｂに設けられた被作用部61とが係合する様子を示す平面説明図である。
【００７３】
図12はプロセスカートリッジＢを画像形成装置Ａ本体に装着する際に開閉扉を開口位置から閉口位置に移動する様子を示す側面説明図である。
【００７４】
図13はプロセスカートリッジＢを画像形成装置Ａ本体から脱離する際に開閉扉を開口位置に保持する様子を示す側面説明図である。
【００７５】
＜プロセスカートリッジの装着時の開閉扉の動作＞
図７に示すように、プロセスカートリッジＢを画像形成装置Ａ本体に対して図７の矢印Ｓ方向に挿入する。そして、プロセスカートリッジＢの外周面を画像形成装置Ａ本体に設けられた上扉30と下扉31とのそれぞれの当接部30ｈ，31ｈに当接して該上扉30と下扉31を押し開ける。
【００７６】
この際、プロセスカートリッジＢは図８及び図９に示す現像フレーム23の下面に設けられた被ガイド部23ｇが図７に示す画像形成装置Ａ本体に設けられた下扉31の外側面に設けられたガイド部31ｂに係合してガイドされながら装着される。
【００７７】
プロセスカートリッジＢの装着操作の途中において、図６（ａ）及び図12（ａ）に示すように、プロセスカートリッジＢに設けられた作用部50は被作用部61に当接する。作用部50は捩じりコイルバネ17の付勢力により図６（ａ）に示す第一位置の姿勢を保持した状態で切替ギア60ｂの側面に立設された被作用部61に当接する。
【００７８】
プロセスカートリッジＢの装着操作が更に進む。すると、被作用部61は作用部50により押圧されて切替ギア60ｂと一体的に回転軸60b1を中心に図12（ｂ）の矢印Ｈ方向に回転する。
【００７９】
これに伴なって切替ギア60ｂと噛合する切替ギア60ａは回動軸30ａを中心に該回動軸30ａと一体的に図12（ｂ）の矢印Ｊ方向に回転する。
【００８０】
そして、回動軸30ａに固定された上扉30も切替ギア60ａと一体的に図12（ｂ）の矢印Ｊ方向に回動する。
【００８１】
これに伴なって、上扉30に固定された支持部材30ｂも該上扉30と一体的に図12（ｂ）の矢印Ｊ方向に回動する。
【００８２】
プロセスカートリッジＢを装着する前の切替ギア60ｂが図12（ａ）に示す回転角度位置において、引張バネ60ｃによる引っ張り力は、上扉30を開口位置に保持している。
【００８３】
プロセスカートリッジＢの装着操作が進んで切替ギア60ｂが図12（ｂ）に示す回転角度位置を超えて、図12（ｃ）に示す回転角度位置に至る。トグル機構を構成する引張バネ60ｃの一端部が係合しているバネ掛け部30ｃは上扉30の回動と共に移動する。
【００８４】
これにより、引張バネ60ｃによる引っ張り力の方向が切り替えられて上扉30は引張バネ60ｃによる引っ張り力により回動軸30ａを中心に図12（ｂ）の矢印Ｊ方向に回動する。そして、図12（ｃ）に示すように、プロセスカートリッジＢが画像形成装置Ａ本体内の画像形成位置に装着されたとき上扉30は閉口位置に移動する。
【００８５】
上扉30の回動による駆動力が図７に示す扉連動ギア32ａ、アイドラギア32ｃ，32ｄ，32ｅ、扉連動ギア32ｂを介して下扉31に伝わる。そして、下扉31も上扉30に連動して回動し、図12（ｃ）に示す閉口位置に移動する。
【００８６】
プロセスカートリッジＢが画像形成装置Ａ本体内の画像形成位置に装着されたとき、ユーザは図１に示すように、プロセスカートリッジＢの把持部34を図１の矢印Ｙ方向に回動させて押し下げる。
【００８７】
＜プロセスカートリッジの取り出し＞
ユーザは上扉30を図13（ａ）の矢印Ｍ方向に押し上げ、該上扉30を開口位置へ移動させる。トグル機構バネである引張バネ60ｃの端部が係合しているバネ掛け部30ｃは、上扉30と共に移動するため該上扉30は開口方向に付勢され、開口位置に移動する。
【００８８】
そして、切替ギア60ａが図13（ａ）に示す回転角度位置まで回転する。切替ギア60ａが固定された回動軸30ａと一体的に上扉30が回動軸30ａを中心に図13（ａ）の矢印Ｍ方向に回動する。
【００８９】
トグル機構を構成する引張バネ60ｃの一端部が係合しているバネ掛け部30ｃは上扉30と共に回動軸30ａを中心に図13（ａ）の矢印Ｍ方向に回動して移動する。
【００９０】
すると、引張バネ60ｃの引っ張り力の方向が切り替わり、上扉30は該引張バネ60ｃの引っ張り力により回動軸30ａを中心に図13（ａ）の矢印Ｍ方向に回動して開口位置に移動する。
【００９１】
上扉30の回動による駆動力が図７に示す扉連動ギア32ａ、アイドラギア32ｃ，32ｄ，32ｅ、扉連動ギア32ｂを介して下扉31に伝わる。そして、下扉31も上扉30に連動して回動し、図13（ａ）に示す開口位置に移動する。
【００９２】
図６（ｂ）及び図13（ｂ）に示すように、プロセスカートリッジＢを図６（ｂ）及び図13（ｂ）の矢印Ｋ方向に画像形成装置Ａ本体の外側に引き出し始める。
【００９３】
すると、図６（ｂ）に示すように、プロセスカートリッジＢに設けられた作用部50のテーパ部50ｄが切替ギア60ｂの側面に立設された被作用部61に当接摺動する。そして、捩じりコイルバネ17の付勢力に抗して軸部16を中心に図６（ｂ）の矢印Ｎ方向へ回動して退避する。
【００９４】
作用部50は切替ギア60ｂの被作用部61から退避しつつ、該被作用部61を通過する。このとき、作用部50は切替ギア60ｂの被作用部61を移動させることが無い。従って、切替ギア60ｂは回転せず、図13（ｂ）に示すように、開閉扉となる上扉30及び下扉31を開口位置に保持する。
【００９５】
上記構成により画像形成装置Ａ本体内の画像形成位置にプロセスカートリッジＢが装着されたときは、図12（ｃ）に示すように、該画像形成装置Ａ本体の開閉扉となる上扉30及び下扉31が閉口位置になり、画像形成装置Ａ本体内を遮光する。
【００９６】
また、画像形成装置Ａ本体内からプロセスカートリッジＢを取り出すときは、図13（ａ），（ｂ）に示すように、画像形成装置Ａ本体の開閉扉となる上扉30及び下扉31がが開口位置のまま保持される。
【００９７】
これにより、画像形成装置Ａ本体内の画像形成位置にプロセスカートリッジＢが装着されたとき以外の状態では、開閉扉となる上扉30及び下扉31がが開口位置のまま保持される。
【００９８】
このため、画像形成装置Ａ本体内部が見える状態となる。また、ユーザがジャム処理等のために画像形成装置Ａ本体内部に両手を入れることが可能な状態となる。
【００９９】
これにより、ジャム処理等で画像形成装置Ａ本体内部にユーザがアクセスしたい場合においての操作性を向上させることが出来る。
【符号の説明】
【０１００】
Ａ    …画像形成装置
Ｂ    …プロセスカートリッジ
30    …上扉(開閉扉)
31    …下扉(開閉扉)
50    …作用部
60ｂ  …切替ギア(切替手段）
61    …被作用部
【図１】
2014106501.tif 000003
【図２】
2014106501.tif 000004
【図３】
2014106501.tif 000005
【図４】
2014106501.tif 000006
【図５】
2014106501.tif 000007
【図６】
2014106501.tif 000008
【図７】
2014106501.tif 000009
【図８】
2014106501.tif 000010
【図９】
2014106501.tif 000011
【図１０】
2014106501.tif 000012
【図１１】
2014106501.tif 000013
【図１２】
2014106501.tif 000014
【図１３】
2014106501.tif 000015